(57)【要約】【課題】通常再生速度と異なる速度でダビング処理を行うことができるダビングシステムを提供する。【解決手段】記録装置１０において、ＭＰＥＧ−ＴＳのパケット列を通常再生速度と異なる速度で転送するためのタイムスタンプをそれそれのＭＰＥＧ−ＴＳパケットに記述したアイソクロナスパケットを生成して、このアイソクロナスパケットを、ＩＥＥＥ１３９４シリアルバス１５を介して記録装置２０に送信し、記録装置２０において、記録装置１０から受信したアイソクロナスパケットに含まれるＭＰＥＧ−ＴＳのパケット列の各パケットに設定されているタイムスタンプを、通常再生速度のタイムスタンプに変更して記録する。【選択図】図１
2007250037.tif 000002
【特許請求の範囲】
【請求項１】
第１の記録装置と、この第１の記録装置との間で符号化データのダビングを行う第２の記録装置とを備えるダビングシステムにおいて、
前記第１の記録装置は、
符号化データのパケット列を記録する第１の記録手段と、
前記第２の記録装置との間で通信を行う第１の通信手段と、
この第１の通信手段を介した前記第２の記録装置との情報交換により、前記第２の記録装置との間の通信におけるデータ転送速度の範囲を調べ、このデータ転送速度の範囲からデータ転送速度を決定し、この決定したデータ転送速度から、前記第１の記録手段に記録された符号化データのパケット列の各パケットの転送間隔を算出する転送間隔算出手段と、
この転送間隔算出手段で算出された前記転送間隔に基づいて、前記第１の記録手段に記録された符号化データのパケット列をこの符号化データの通常再生速度と異なる速度で転送するための時間情報を前記パケット列の各パケットに記述するとともに、前記パケット列を前記第１の通信手段を介して前記第２の記録装置へ送信するための送信用パケットを生成する送信用パケット生成手段とを備え、
前記第２の記録装置は、
前記第１の記録装置との間で通信を行い、前記送信用パケット生成手段で生成された送信用パケットを受信する第２の通信手段と、
この第２の通信手段で受信した前記送信用パケットに含まれる符号化データのパケット列の各パケットに前記送信用パケット生成手段で記述された時間情報を、前記符号化データの通常再生速度の時間情報に変更する時間情報変更手段と、
この時間情報変更手段で時間情報が変更された前記符号化データのパケット列を記録する第２の記録手段と
を備えることを特徴とするダビングシステム。
【発明の詳細な説明】
【技術分野】
【０００１】
本発明は、装置間での符号化データのダビングを行うダビングシステムに関する。
【背景技術】
【０００２】
近年、映像、音声情報の世界における映像、音声のデジタル化、および映像、音声データの圧縮技術の向上により、ＶＴＲをはじめとするテープ記録から、ＤＶＤディスク、ハードディスク等のディスク記録への移行が急速に行われつつある。
【０００３】
また、近年、記録媒体としてハードディスクドライブ（ＨＤＤ：Hard Disk Drive）を使用するハードディスクレコーダが普及してきている。さらに、ハードディスクドライブとＤＶＤドライブとが混在するハードディスク＆ＤＶＤハイブリッドレコーダが普及してきており、放送を一旦ハードディスクドライブに記録し、保存したいコンテンツのみを選択してＤＶＤにダビングするという用途に用いられている。
【０００４】
しかし、地上波デジタル放送や、ＢＳデジタル放送等で配信されているＨＤ（High Definition）放送の場合、高画質を謳っているため、その記録レートは通常１５〜２５Ｍｂｐｓ程度ある。そのため、ＤＶＤディスクの容量では、放送の高画質をそのままバックアップすることができない。したがって、ＨＤ放送をそのまま保存したい場合には、記録装置を外部の装置と接続し、外部の装置へのダビングを行い、バックアップを行うことが一般的に行われている。
【０００５】
通常、記録装置間の接続には、ＩＥＥＥ（Institute of Electrical and Electronics Engineers）１３９４デジタルインターフェースが用いられており、すでに、ＩＥＥＥ１３９４を通して、コンテンツのダビングを行うことができる記録装置が多数発売されている。
【０００６】
しかし、従来のダビングシステムにおいて、ＩＥＥＥ１３９４を通してのダビング処理の速度は、通常再生速度と同速度に限定されていた。つまり、記録データのダビング処理を行うためには録画時間と同じ時間がかかっていた。
【０００７】
そこで、ＶＣＲとディスク状記録媒体などを使用した装置間での符号化データ列の高速ダビングに関する技術が特許文献１に開示されている。この技術では、再生系となるハードディスク部において、通常再生のＮ倍速のクロック周波数に基づいて符号化データ列を読み出し、記録系となるデジタルＶＣＲ部において、再生系から読み出され入力される符号化データ列に通常のＮ倍速の基準クロックを用いてタイムスタンプを付加する。そして、磁気テープの再生走行速度の基準となるコントロール信号を正規周波数のＮ倍の周期で書き込みながら、正規記録時のＮ倍速で磁気テープを送るとともに、通常記録時と同じ速度でシリンダを回転させながら記録することにより、高速ダビングを実現している。
【特許文献１】特開２００２−１００１１５号公報
【発明の開示】
【発明が解決しようとする課題】
【０００８】
しかし、特許文献１に開示された技術を用いてダビングを行う場合、転送スピードの設定が通常再生速度のＮ倍速（Ｎは正の整数）に限定される。また、通常再生速度のＮ倍速の時間軸となるタイムスタンプを作成する基準クロック作成部が必要となるため、特殊なハードウェアを追加することになり、装置の構成が複雑になるという問題があった。
【０００９】
本発明は上記に鑑みてなされたもので、簡単な構成で、通常再生速度と異なる速度でダビング処理を行うことができるダビングシステムを提供することを目的とする。
【課題を解決するための手段】
【００１０】
本発明のダビングシステムは、第１の記録装置と、この第１の記録装置との間で符号化データのダビングを行う第２の記録装置とを備えるダビングシステムにおいて、前記第１の記録装置は、符号化データのパケット列を記録する第１の記録手段と、前記第２の記録装置との間で通信を行う第１の通信手段と、この第１の通信手段を介した前記第２の記録装置との情報交換により、前記第２の記録装置との間の通信におけるデータ転送速度の範囲を調べ、このデータ転送速度の範囲からデータ転送速度を決定し、この決定したデータ転送速度から、前記第１の記録手段に記録された符号化データのパケット列の各パケットの転送間隔を算出する転送間隔算出手段と、この転送間隔算出手段で算出された前記転送間隔に基づいて、前記第１の記録手段に記録された符号化データのパケット列をこの符号化データの通常再生速度と異なる速度で転送するための時間情報を前記パケット列の各パケットに記述するとともに、前記パケット列を前記第１の通信手段を介して前記第２の記録装置へ送信するための送信用パケットを生成する送信用パケット生成手段とを備え、前記第２の記録装置は、前記第１の記録装置との間で通信を行い、前記送信用パケット生成手段で生成された送信用パケットを受信する第２の通信手段と、この第２の通信手段で受信した前記送信用パケットに含まれる符号化データのパケット列の各パケットに前記送信用パケット生成手段で記述された時間情報を、前記符号化データの通常再生速度の時間情報に変更する時間情報変更手段と、この時間情報変更手段で時間情報が変更された前記符号化データのパケット列を記録する第２の記録手段とを備えることを特徴とする。
【発明の効果】
【００１１】
本発明のダビングシステムによれば、第１の記録装置において、記録された符号化データのパケット列を通常再生速度と異なる速度で転送するための時間情報を記述した送信用パケットを生成し、この送信用パケットを第２の記録装置に送信し、第２の記録装置において、受信した送信用パケットに含まれる符号化データのパケット列の各パケットに記述されている時間情報を、通常再生速度の時間情報に変更して記録するので、符号化データのパケット列を通常再生速度と異なる速度で転送して転送後に再生速度を復元することができ、簡単な構成のシステムで通常再生速度と異なる速度でダビング処理を行うことができる。
【発明を実施するための最良の形態】
【００１２】
以下、本発明のダビングシステムを実施するための最良の形態について、図面を参照して説明する。
【００１３】
図１は本発明の一実施の形態に係るダビングシステムの構成を示すブロック図である。図１に示すように、本実施の形態のダビングシステムは、ダビング元としての記録装置１０と、ダビング先としての記録装置２０とを備え、記録装置１０と記録装置２０とは、ＩＥＥＥ１３９４シリアルバス１５を介して接続されている。
【００１４】
記録装置１０は、入出力デジタルインターフェース（Ｉ／Ｆ）部１１と、符号化データ列処理部１２と、記録再生部１３と、制御部１４とを備える。
【００１５】
入出力デジタルインターフェース（Ｉ／Ｆ）部１１は、ＩＥＥＥ１３９４デジタルインターフェースからなり、ＩＥＥＥ１３９４シリアルバス１５を介して、符号化データのパケット列を入出力する。
【００１６】
符号化データ列処理部１２は、記録再生部１３に格納された符号化データのパケット列を通常再生速度と異なる速度で転送するための時間情報を記述した送信用パケットを生成して入出力デジタルＩ／Ｆ部１１に出力する。記録再生部１３は、符号化データのパケット列を格納する。
【００１７】
制御部１４は、入出力デジタルＩ／Ｆ部１１を介した記録装置２０とのネゴシエーションにより、記録装置２０との間の通信におけるデータ転送速度の範囲を調べ、このデータ転送速度の範囲からデータ転送速度を決定し、このデータ転送速度から、符号化データのパケット列を記録装置２０に転送するための転送間隔を算出する。また、制御部１４は、装置に設けられた各部を制御する。
【００１８】
記録装置２０は、入出力デジタルインターフェース（Ｉ／Ｆ）部２１と、符号化データ列処理部２２と、記録再生部２３と、制御部２４とを備える。
【００１９】
入出力デジタルインターフェース（Ｉ／Ｆ）部２１は、ＩＥＥＥ１３９４デジタルインターフェースからなり、ＩＥＥＥ１３９４シリアルバス１５を介して、符号化データのパケット列を入出力する。
【００２０】
符号化データ列処理部２２は、入出力デジタルＩ／Ｆ部２１を介して記録装置１０で生成された送信用パケットが入力されると、この送信用パケットに記録装置１０で記述された時間情報を、通常再生速度の時間情報に変更して記録再生部２３に出力する。記録再生部２３は、符号化データ列処理部２２からのパケットを記録、再生する。制御部２４は、装置に設けられた各部を制御する。
【００２１】
次に、本実施の形態に係るダビングシステムの動作並びに高速ダビング処理の手順について説明する。
【００２２】
本実施の形態では、記録装置１０と記録装置２０とは、ＩＥＥＥ１３９４シリアルバス１５を介してＭＰＥＧ−ＴＳ（Moving Picture Experts Group-Transport Stream）パケットを通信、記録するものとする。
【００２３】
図２はダビングを行う際の記録装置１０における符号化データ列出力処理の手順を示すフローチャートである。以下、その処理手順について説明する。
【００２４】
まず、ステップＳ１１０では、記録装置１０の制御部１４は、入出力デジタルＩ／Ｆ部１１を介して接続相手である記録装置２０と通信を行い、ＭＰＥＧ−ＴＳのパケット列の転送を行うにあたって、記録装置１０と記録装置２０との間において許されるデータ転送速度の範囲を調べる。転送速度の範囲は、入出力デジタルＩ／Ｆ部１１を介しての記録装置２０とのネゴシエーションにより決定する。
【００２５】
次に、ステップＳ１２０では、制御部１４は、ステップＳ１１０で決定したデータ転送速度の範囲から、ダビング処理におけるデータ転送速度を決定する。
【００２６】
次に、ステップＳ１３０では、制御部１４は、ステップＳ１２０で決定したデータ転送速度と、転送するＭＰＥＧ−ＴＳパケットのサイズに基づいて、ＭＰＥＧ−ＴＳのパケット転送間隔を算出する。
【００２７】
次に、ステップＳ１４０では、制御部１４は、記録再生部１３に記録されたＭＰＥＧ−ＴＳのパケット列から、ＩＥＥＥ１３９４でデータを送信するためのアイソクロナスパケットを生成するように、符号化データ列処理部１２を制御する。
【００２８】
図３（ａ）はアイソクロナスパケットのフォーマットを示す図、図３（ｂ）はアイソクロナスパケット中のＭＰＥＧ−ＴＳパケットを示す図である。図３（ａ）に示すように、アイソクロナスパケットは、アイソクロナスパケットヘッダ３１と、ＭＰＥＧ−ＴＳパケット３２ａ，３２ｂ，…とを含む。そして、ＭＰＥＧ−ＴＳパケット３２ａ，３２ｂ，…には、図３（ｂ）に示すように、時間情報を記述できるＳＰＨ部３２１が設けられている。
【００２９】
アイソクロナスパケットを生成する際、符号化データ列処理部１２は、ステップＳ１３０で算出したＭＰＥＧ−ＴＳのパケット転送間隔に基づいて、それぞれのＭＰＥＧ−ＴＳパケット３２ａ，３２ｂ，…のＳＰＨ部３２１に、時間情報を示すタイムスタンプを記述する。
【００３０】
そして、制御部１４は、符号化データ列処理部１２で作成されたアイソクロナスパケットを、ステップＳ１２０で決定したデータ転送速度で記録装置２０へ出力するように入出力デジタルＩ／Ｆ部１１を制御する。
【００３１】
次に、ステップＳ１５０では、制御部１４は、記録再生部１３に記録されているダビング対象のＭＰＥＧ−ＴＳのパケット列の出力が完了したかどうかを判断し、出力が完了した（ＹＥＳ）場合は、符号化データ列出力処理を終了する。出力が完了していない（ＮＯ）場合は、ステップＳ１４０に戻り、以降の処理を繰り返す。以上が、符号化データ列出力処理の手順である。
【００３２】
図４は、ダビングを行う際の記録装置２０における符号化データ列入力処理の手順を示すフローチャートである。以下、その処理手順について説明する。
【００３３】
まず、ステップＳ２１０において、記録装置２０の制御部２４は、入出力デジタルＩ／Ｆ部２１において接続相手である記録装置１０からアイソクロナスパケットを受信すると、受信したアイソクロナスパケットを符号化データ列処理部２２に出力するように制御する。ここで受信したアイソクロナスパケットは、図３（ａ）に示すフォーマットになっているが、記録にはアイソクロナスパケットヘッダ３１は不用である。
【００３４】
そこで、ステップＳ２２０では、制御部２４は、受信したアイソクロナスパケットからアイソクロナスパケットヘッダ３１を除去するように符号化データ列処理部２２を制御する。
【００３５】
ここで、図３（ｂ）に示すＭＰＥＧ−ＴＳパケットのＳＰＨ部３２１にはパケットのタイムスタンプが記述されているが、高速ダビングに際して、接続相手の記録装置１０において、図２に示すフローチャートのステップＳ１４０でタイムスタンプの値は変換されている。
【００３６】
そこで、ステップＳ２３０では、制御部２４は、このタイムスタンプの値を、ＭＰＥＧ−ＴＳの通常再生速度に合わせて変更するように符号化データ列処理部２２を制御する。
【００３７】
そして、ステップＳ２４０において、制御部２４は、符号化データ列処理部２２でタイムスタンプが変更されたＭＰＥＧ−ＴＳパケットを記録再生部２３に記録するように制御する。
【００３８】
ここで、上記のステップＳ１４０でのタイムスタンプの設定、およびステップＳ２３０でのタイムスタンプの変更について、図５を参照して説明する。図５（ａ）は元のＭＰＥＧ−ＴＳパケットのタイミングを示す図、図５（ｂ）はステップＳ１４０で高速ダビングのためにタイムスタンプ値を変換した後のＭＰＥＧ−ＴＳパケットのタイミングを示す図、図５（ｃ）は外部機器から送られてきたＭＰＥＧ−ＴＳパケットのタイムスタンプを、ステップＳ２３０で変更した後のＭＰＥＧ−ＴＳパケットのタイミングを示す図である。
【００３９】
ＭＰＥＧ−ＴＳでは、ＳＰＨのような個々のＭＰＥＧ−ＴＳパケットの先頭につけられたヘッダー部のタイムスタンプのほかに、ＭＰＥＧ−ＴＳパケットの中にＰＣＲ（Program Clock Reference：プログラム時刻基準参照値）と呼ばれるタイムスタンプ値が記述されている。図５（ａ）〜（ｃ）に示すように、ＭＰＥＧ−ＴＳの中には、このＰＣＲを持つパケット５ａ，５ｂ，…と、ＰＣＲを持たないパケット６ａ，６ｂ，…とがある。
【００４０】
そして、ＭＰＥＧ−ＴＳでは、このＰＣＲの値によって、プログラムの通常再生速度が示される。つまり、ＰＣＲを持つパケット５ａ，５ｂ，…のタイミングが等しければ、プログラムの通常再生速度は復元される。
【００４１】
そこで、高速ダビングの際には、図２のステップＳ１４０においてそれぞれのＭＰＥＧ−ＴＳパケット３２ａ，３２ｂ，…のＳＰＨ部３２１に記述するタイムスタンプは、図５（ｂ）に示すように各パケット間の間隔が短くなるように設定する。これにより、データ転送速度を、ＭＰＥＧ−ＴＳの通常再生速度よりも速くすることができる。また、タイムスタンプ値の設定により、ステップＳ１１０で調べられたデータ転送速度の範囲内であれば、データ転送速度を任意の速度に設定することができる。
【００４２】
そして、このようにしてタイムスタンプの値が変換されたＭＰＥＧ−ＴＳを記録装置２０が受信すると、図５（ｃ）に示すように、ＰＣＲを持つパケット５ａ，５ｂ，…の間隔が、図５（ａ）に示すＰＣＲを持つパケット５ａ，５ｂ，…の間隔と等しくなるように、ステップＳ２３０においてＭＰＥＧ−ＴＳパケットのタイムスタンプを変更する。これにより、プログラムの通常再生速度は復元される。
【００４３】
このように、本実施の形態によれば、記録装置１０において、ＭＰＥＧ−ＴＳのパケット列を通常再生速度と異なる速度で転送するためのタイムスタンプをそれそれのＭＰＥＧ−ＴＳパケットに設定したアイソクロナスパケットを生成して、このアイソクロナスパケットを、ＩＥＥＥ１３９４シリアルバス１５を介して記録装置２０に送信し、記録装置２０において、記録装置１０から受信したアイソクロナスパケットに含まれるＭＰＥＧ−ＴＳのパケット列の各パケットに設定されているタイムスタンプを、通常再生速度のタイムスタンプに変更して記録するので、ＭＰＥＧ−ＴＳのパケット列の転送速度を通常再生速度と異なる速度に設定でき、簡単な構成のシステムで、通常再生速度と異なる速度でダビング処理を行うことができる。
【図面の簡単な説明】
【００４４】
【図１】本発明の一実施の形態に係るダビングシステムの構成を示すブロック図である。
【図２】符号化データ列出力処理の手順を示すフローチャートである。
【図３】（ａ）はアイソクロナスパケットのフォーマットを示す図、（ｂ）はアイソクロナスパケット中のＭＰＥＧ−ＴＳパケットを示す図である。
【図４】符号化データ列入力処理の手順を示すフローチャートである。
【図５】（ａ）は元のＭＰＥＧ−ＴＳパケットのタイミングを示す図、（ｂ）はタイムスタンプ値を変換した後のＭＰＥＧ−ＴＳパケットのタイミングを示す図、（ｃ）はタイムスタンプを変更した後のＭＰＥＧ−ＴＳパケットのタイミングを示す図である。
【符号の説明】
【００４５】
１０，２０    記録装置
１１，２１    入出力デジタルインターフェース（Ｉ／Ｆ）部
１２，２２    符号化データ列処理部
１３，２３    記録再生部
１４，２４    制御部
１５    ＩＥＥＥ１３９４シリアルバス
【図１】
2007250037.tif 000003
【図２】
2007250037.tif 000004
【図３】
2007250037.tif 000005
【図４】
2007250037.tif 000006
【図５】
2007250037.tif 000007